(57)【特許請求の範囲】
【請求項１】
上下枠または左右枠に枠内周側に開口する凹部を設けた枠体と、側端部に固定したスライダーが凹部を摺動することでスライドする障子と、凹部を構成する凹部構成壁の室内側面に固定したロック本体と、ロック本体の室内側面に障子摺動方向に移動自在に設けた操作ツマミ部と、操作ツマミ部の室外側に一体形成してあり且つロック本体内部に位置して操作ツマミ部の移動に連動して障子摺動方向に移動するラックギヤと、ロック本体内部にありラックギヤに係合してあることでラックギヤの移動に伴い回転するピニオンギヤと、ロック本体における凹部に隣接する位置に設けたストッパー部とを備え、
ロック本体は、その内部が凹部構成壁に形成した貫通孔を介して凹部内に連通しており、
ピニオンギヤは、周方向の一部にラックギヤと係合するギヤ部を形成してあると共に残りの部分にギヤ部のない部分と突出部とを形成したものであり、回転により突出部がロック本体内から凹部構成壁の貫通孔を介して凹部内に突出自在なものであり、
障子が閉鎖位置から開放位置に摺動してスライダーが凹部内に突出した突出部に衝突したときに、突出部がロック本体の外側でストッパー部に当接してピニオンギヤを回転不能にすると共に、障子が開放位置から閉鎖位置に摺動してスライダーが凹部内に突出した突出部に衝突したときに、ピニオンギヤのギヤ部のない部分がストッパー部に干渉せずにピニオンギヤが回転し始めると共に、ギヤ部のある部分がロック本体内部においてストッパー部に当接するまで回転することで突出部がロック本体に収納されることを特徴とする窓ロック構造。
【請求項２】
ラックギヤの裏面に、ロック本体操作面に設けたスライド開口部に摺接するスライド溝を介して操作ツマミ部を連結したことを特徴とする請求項１記載の窓ロック構造。
【発明の詳細な説明】
【０００１】
【発明の属する技術分野】
本発明は窓の開閉を規制するロック構造に関し、部品点数が少なく簡単な構造でロック操作の誤操作による障子及びロック装置の破損を防ぐ窓ロック構造に係る。
【０００２】
【従来の技術】
一般にサッシ等の引き違い窓や上げ下げ窓においては召し合わせ部のサッシ枠にクレセント錠が取り付けられているが、このクレセント錠は外側障子のサッシ枠や固定枠等に受け金具が取り付けられ、内側の障子のサッシ枠に前記受け金具と噛み合う回転金具が取り付けられているもので、この部分の窓ガラスを外部から破壊して指などを挿入して回転金具を回転移動させれば簡単に解錠することができ、防犯上の問題があるのでロック爪を突出させたり、引込めたりすることにより窓の開放を施錠したり解錠するサブロック又は補助ロック機構が設けられることは公知である。
しかし、従来のサブロック又は補助ロック機構は可動障子の開閉にかかわらず施錠状態にロック爪を突出させることができ、この突出させた状態ではロック爪の回動が障子の開放及び閉じる両方向ともに規制されている。
従って障子開放状態にて誤操作や子供等のいたずら等により施錠の状態にして障子を閉めようとするとロック爪と干渉し、障子又はロック装置の一方又は両方を破損してしまう恐れがあった。
【０００３】
また従来のサブロック又は補助ロック機構はロック爪の突出、収納方向と施錠、解錠操作方向が異なっているのが一般であり、ロック部品を取り付けるスペース及び操作スペースが必要なことから見込み寸法、見付け寸法が大きくなるという技術的課題があった。
【０００４】
【発明が解決しようとする課題】
本発明の第１の目的は、障子が閉じた際に確実に施錠できるだけでなく、障子が開放させた状態にて誤って施錠状態にしても障子が閉じる際にロックの突出部がこれに追随して収納され、障子やロックの破損が回避できるロック構造の提供にある。
【０００５】
【課題を解決するための手段】
請求項１記載の発明は、上下枠または左右枠に枠内周側に開口する凹部を設けた枠体と、側端部に固定したスライダーが凹部を摺動することでスライドする障子と、凹部を構成する凹部構成壁の室内側面に固定したロック本体と、ロック本体の室内側面に障子摺動方向に移動自在に設けた操作ツマミ部と、操作ツマミ部の室外側に一体形成してあり且つロック本体内部に位置して操作ツマミ部の移動に連動して障子摺動方向に移動するラックギヤと、ロック本体内部にありラックギヤに係合してあることでラックギヤの移動に伴い回転するピニオンギヤと、ロック本体における凹部に隣接する位置に設けたストッパー部とを備え、ロック本体は、その内部が凹部構成壁に形成した貫通孔を介して凹部内に連通しており、ピニオンギヤは、周方向の一部にラックギヤと係合するギヤ部を形成してあると共に残りの部分にギヤ部のない部分と突出部とを形成したものであり、回転により突出部がロック本体内から凹部構成壁の貫通孔を介して凹部内に突出自在なものであり、障子が閉鎖位置から開放位置に摺動してスライダーが凹部内に突出した突出部に衝突したときに、突出部がロック本体の外側でストッパー部に当接してピニオンギヤを回転不能にすると共に、障子が開放位置から閉鎖位置に摺動してスライダーが凹部内に突出した突出部に衝突したときに、ピニオンギヤのギヤ部のない部分がストッパー部に干渉せずにピニオンギヤが回転し始めると共に、ギヤ部のある部分がロック本体内部においてストッパー部に当接するまで回転することで突出部がロック本体に収納されることを特徴とする。
【０００６】
【課題を解決するための手段】
請求項１記載の発明は、上下枠または左右枠に枠内周側に開口する凹部を設けた枠体と、側端部に固定したスライダーが凹部を摺動することでスライドする障子と、凹部を構成する凹部構成壁の室内側面に固定したロック本体と、ロック本体の室内側面に障子摺動方向に移動自在に設けた操作ツマミ部と、操作ツマミ部の室外側に一体形成してあり且つロック本体内部に位置して操作ツマミ部の移動に連動して障子摺動方向に移動するラックギヤと、ロック本体内部にありラックギヤに係合してあることでラックギヤの移動に伴い室内外方向の軸周りに回転するピニオンギヤと、ロック本体における凹部に隣接する位置に設けたストッパー部とを備え、ロック本体は、その内部が凹部構成壁に形成した貫通孔を介して凹部内に連通しており、ピニオンギヤは、周方向の一部にラックギヤと係合するギヤ部を形成してあると共に残りの部分にギヤ部のない部分と突出部とを形成したものであり、回転により突出部がロック本体内から凹部構成壁の貫通孔を介して凹部内に突出自在なものであり、障子が閉鎖位置から開放位置に摺動してスライダーが凹部内に突出した突出部に衝突したときに、突出部がロック本体の外側でストッパー部に当接してピニオンギヤを回転不能にすると共に、障子が開放位置から閉鎖位置に摺動してスライダーが凹部内に突出した突出部に衝突したときに、ピニオンギヤのギヤ部のない部分がストッパー部に干渉せずにピニオンギヤが回転し始めると共に、ギヤ部のある部分がロック本体内部においてストッパー部に当接するまで回転することで突出部がロック本体に収納されることを特徴とする。
【０００８】
【発明の実施の形態】
本発明の望ましい実施の形態を図面に基づいて以下説明する。
本発明に係るロック構造を例えば、上げ下げ窓に適用した場合の例を図３に示す。
上枠１１、下枠１２を左縦枠１３、右縦枠１４で連結して組み立てた枠体１０の上部には外障子４０として固定障子が、下部に内障子２０として可動障子がはめ込まれ、可動障子が上下するようになっている。
内障子２０は上框２１、下框２２を左右の縦框２３、２４で枠に組み立て、ガラス２６が装着され、内障子の上框と外障子のサッシにてクレセント錠２５が主ロックとして取り付けられている。
枠体１０の左右の縦枠１３、１４の下部に本発明に係るロック（サブロック）３０が取り付けられ、ロック３０を図１に示し、ラックギヤ３２部及び操作ツマミ部３３を図２に示し、縦枠への取り付け構造を図４に示す。
ロック（サブロック）３０はロック本体３１の操作面３１ａ側に歯先を枠体取付面３１ｂ側に向けてラックギヤ３２を配設し、ラックギヤの裏面にはスライド溝３４を介して操作ツマミ部３３が、１体又は別ピースとして取り付けられている。このスライド溝部３４でロック本体に設けたスライド孔３１ｃとスライド対偶している。
ロック本体の枠体取付面側に突出部３５ａを有するピニオンギヤ３５がラックギヤに対応して取り付けられ、ピニオンギヤの上部に突出部に当接して回動を規制するストッパー３６が配設されている。
【０００９】
このようなロックを図４に示すように例えば、縦枠１４に設けた貫通孔１４ａにピニオンギヤの突出部３５ａを臨ませるようにネジ等の係止部材で取り付けられていて、内障子に取り付けたスライダー２７がこの縦枠の凹部１４ｂを内障子の昇降に合せて上下に摺動する構造になっていてロックの操作ツマミを上方向に移動させ、突出部３５ａをロック本体に収納させるとロックが解除された状態になり内障子が開放出来、図５に示すように操作ツマミ部を下方向に移動させ、突出部３５ａをロック本体の外に出すと縦枠の凹部に突出することになり、内障子の開放方向の回動がストッパー３６で規制され内障子のスライダーの上部で摺動を規制し、ロック状態になる。
【００１０】
また内障子が開放された状態で誤って施錠されても図６に示すように、内障子を閉じるとスライダーが下降し、スライダーの下部がピニオンギヤの突出部３５ａに当ると、この方向の回動は規制されていないので突出部がロック本体に収納され、これに連動してラックギヤが移動し、これに連結されている操作ツマミ部が解錠の状態にもどる。
【００１１】
本発明に係るロック構造の他の応用例として、図７に示すようにロック機構を２段にして枠体に取り付けると下部のロック機構は内障子の開放のロック機能として働き、上部のロック機構は図８に示すように内障子を内側に傾ける際の内障子の上昇を規制するロック機能を有することになる。
【００１２】
【発明の効果】
請求項１記載の発明によれば内障子が閉じ開放を規制した場合にはロック機構として有効に機能し、内障子の開放時に誤操作等により施錠状態になったとしても、内障子が開放位置側からストッパーに当接したときに、ピニオンギヤのギヤ部のない部分がストッパー部に干渉せずにピニオンギアが回転し始めると共に、ギヤ部のある部分がロック本体内部においてストッパー部に当接するまで回転することにより、障子を閉めた際にピニオンの突出部が収納方向に回転するので、内障子及びロックの一方又は両方の破損を防ぐことができる。
【図面の簡単な説明】
【図１】本発明に係るロック（サブロック）を示す。
【図２】ラックギヤ及び操作ツマミ部を示す。
【図３】本発明に係るロックを枠体に取り付けた状態を示す。
【図４】ロックの枠体取り付け部断面図を示す。
【図５】ロックが施錠された状態を示す。
【図６】内障子が解放時に誤って施錠された状態を示す。
【図７】ロック部を２段に設けた例を示す。
【図８】内障子を室内側に傾けた状態を示す。
【符号の説明】
１０    枠体
１１    上枠
１２    下枠
１３、１４  縦枠
２０    内障子
２１    上框
２２    下框
２３、２４  縦框
２５    クレセント錠
２６    ガラス
２７    スライダー
３０    ロック
３１    ロック本体
３１ａ  ロック本体操作面
３１ｂ  ロック本体の枠体取り付け面
３２    ラックギヤ
３３    操作ツマミ部
３４    スライド溝
３５    ピニオンギヤ
３５ａ  突出部
３６    ストッパー
３７    内倒しロックツマミ部
４０    外障子
【図１】
0004038980.tif 000002
【図２】
0004038980.tif 000003
【図３】
0004038980.tif 000004
【図４】
0004038980.tif 000005
【図５】
0004038980.tif 000006
【図６】
0004038980.tif 000007
【図７】
0004038980.tif 000008
【図８】
0004038980.tif 000009